(57)【要約】      （修正有）【課題】複数の伝票類を、一時的に貼付していき、まとめて台紙に貼付できる伝票集計貼付台紙を提供することを目的とする。【解決手段】台紙１の裏面に不乾燥性粘着剤３を塗布した粘着台紙２と、粘着台紙２の不乾燥性粘着剤３に対向して、剥離紙４が貼付されてなる伝票集計貼付台紙１であって、粘着台紙２には、舌片状切り込み５が複数段、又は舌片状切り込み５が複数段であって、複数列設けられてなる構成とした。【選択図】図１
2017094697.tif 000002
【特許請求の範囲】
【請求項１】
台紙に不乾燥性粘着剤を塗布した粘着台紙と、この粘着台紙の不乾燥性粘着剤に対向して、剥離紙が貼付されてなる伝票集計貼付台紙であって、
少なくとも前記剥離紙表面には、舌片状切り込みが複数段設けられてなることを特徴とする伝票集計貼付台紙。
【請求項２】
複数段設けられてなる前記舌片状切り込みは、複数列設けられてなることを特徴とする前記請求項１記載の伝票集計貼付台紙。
【請求項３】
前記粘着台紙の表面には、貼付される伝票の取引日又は、貼付される複数の伝票の取引日期間、集計日などが記載される日付又は期間等の日付等記入部が設けられていることを特徴とする前記請求項１乃至２記載の伝票集計貼付台紙。
【請求項４】
前記粘着台紙の表面には、貼付される伝票の取引金額又は、貼付される複数の伝票の取引合計額が記載される金額記入部が設けられていることを特徴とする前記請求項１乃至３記載の伝票集計貼付台紙。
【請求項５】
前記粘着台紙の表面には、伝票処理をする担当者の担当者記入部が設けられていることを特徴とする前記請求項１乃至４記載の伝票集計貼付台紙。
【請求項６】
前記粘着台紙の表面には、伝票処理をする担当者又は受け付けた担当者などの確認印などを押印する押印部が設けられていることを特徴とする前記請求項１乃至５記載の伝票集計貼付台紙。
【請求項７】
前記粘着台紙は、透明又は半透明の材質で構成されることを特徴とする前記請求項１乃至６記載の伝票集計貼付台紙。
【請求項８】
前記粘着台紙の表面には、伝票処理をした時の集計金の金種記載欄を設けたことを特徴とする前記請求項１乃至７記載の伝票集計貼付台紙。
【発明の詳細な説明】
【技術分野】
【０００１】  本発明はレシート、領収書、通知書などの伝票類を集計して台紙などに貼付する伝票集計貼付台紙に関する。
【背景技術】
【０００２】  現在、レシート、領収書、通知書などの伝票類を保存することは、個人、法人に問わず、重要なことでありながら、なかなか手間のかかることであった。例えば、個人的には家計簿や、金銭出納帳に記載する際に丁寧に上記伝票類を保管しておくことが重要である。特に法人においては、入出金に関して帳簿を作成することはもちろん整合性を期するためその帳簿に対応してその証拠となる伝票を保管しておくことが義務付けられている。特に、クレジット伝票などは、スーパー、デパートなどは重要な業務になっている。また、銀行のキャッシュカードの取引伝票、駐車場の取引伝票等は、種類ごとに管理するために台紙に貼付して管理することが行われている。【０００３】  しかし、伝票類は一時的に、伝票袋などに保存されることが多く、その整理には多大の時間を要するものであった。そのために、前記伝票類は、１枚の伝票を１枚の台紙に貼付したり、１枚の台紙に複数の伝票を貼付したりして、保存管理することが行われている。
しかし、糊をいちいち貼り付ける手間が有り、どんどん袋に入れて保管してしまい伝票を貯めてしまう結果になっている。そのため特許文献１（特許第４７２２６０６号）のようなもの知られている。【０００４】  この特許文献１は、あらかじめ弱粘着タイプの糊が塗布されており、貼付部分の表面にマスキング紙（剥離紙）を剥がして、貼付できるようになっているものが開示されている。しかしながら、マスキング紙を剥がしたあと剥離紙クズが多数散らばり後始末が大変であった。またマスキング紙を剥がした状態で、表出した前記弱粘着タイプの糊部分が、凹んだ状態で表出しているので、レシート類が脱落しやすく問題があった。
【先行技術文献】
【特許文献】
【０００５】
【特許文献１】特許第４７２２６０６号公報
【発明の概要】
【発明が解決しようとする課題】
【０００６】  そこで本発明は、剥がした剥離紙などのクズが出ることなく、レシート、領収書、通知書などの伝票類を脱落することなく確実に台紙に貼付することができる伝票集計貼付台紙を目的としている。
【課題を解決するための手段】
【０００７】  そこで、上述の課題を解決するため請求項１記載の発明における伝票集計貼付台紙は、台紙に不乾燥性粘着剤を塗布した粘着台紙と、この粘着台紙の下面に不乾燥性粘着剤に対向して、剥離紙が貼付されてなる伝票集計貼付台紙であって、少なくとも前記粘着台紙には、舌片状切り込みが複数段設けられ構成している。【０００８】  請求項２では、複数段設けられてなる舌片状切り込みは、複数列設けて構成している。伝票集計貼付台紙として、ノートのように閉じられるようにした。【０００９】  さらに、請求項３では、粘着台紙の表面には、貼付される伝票の取引日又は、貼付される複数の伝票の取引日期間、集計日などが記載される日付又は期間等の日付等記入部を設け、集計用としての機能を高めた。【００１０】  また、請求項４では、粘着台紙の表面には、貼付される伝票の取引金額又は、貼付される複数の伝票の取引合計額が記載される金額記入部も設けて、金額集計もできるようにした。【００１１】  請求項５では、粘着台紙の表面には、伝票処理をする担当者の担当者記入部が設け、担当者ごとに集計できるようにした。【００１２】  請求項６では、粘着台紙の表面には、伝票処理をする担当者又は受け付けた担当者などの確認印などを押印する押印部が設けられ承認機能を持たせた。【００１３】  請求項７では、用紙を透明、半透明にすることで伝票をより確認できるようにしてもよい構成とした。【００１４】  請求項８では、粘着台紙の表面には、伝票処理をした時の集計金の金種記載欄を設け現金回収の確認を容易にした。
【図面の簡単な説明】
【００１５】
【図１】本発明の伝票集計貼付台紙の表面説明図。
【図２】本発明の伝票集計貼付台紙のＸ−Ｘ線断面説明図。
【図３】本発明の伝票集計貼付台紙の他の実施例を示す表面説明図。
【図４】本発明の伝票集計貼付台紙の使用状態説明図。
【図５】本発明の伝票集計貼付台紙の他の実施例、及び使用状態説明図。
【発明を実施するための形態】
【００１６】  本発明の実施形態を図面に基づいて説明する。図１及び図２には本発明の伝票集計貼付台紙１の表面図とＸ‐Ｘ断面説明図が示されているが、伝票集計貼付台紙１は、シートの裏面に不乾燥性粘着剤３を塗布した粘着台紙２と、この粘着台紙２の不乾燥性粘着剤３に対向して、剥離紙４が貼付されてなる。そして、少なくとも粘着台紙２には、舌片状切り込み５が上下に複数段設けられている。舌片状とは、本実施例では、周囲にラウンドを形成した略矩形状としたが、半円形、或いは、注目度をますために星型でも良い。しかし、舌片としたからには、舌片が粘着台紙２から離脱しないように、切り込みが環状であってはならない。
【００１７】  また、本実施例の伝票集計貼付台紙１は、複数段設けられてなる前記舌片状切り込みは、複数列（３列）設けられてなるので、集計用として、利便性を高めている。
【００１８】  また粘着台紙２の表面には、図３に示されるように貼付される伝票の取引日又は、貼付される複数の伝票の取引日期間が記載される日付等記入部６が設けられている構成とした。さらに、その粘着台紙２の表面には、貼付される伝票の取引金額又は、貼付される複数の伝票の取引合計額が記載される金額記入部７も設けられている。
【００１９】  その他、粘着台紙２の表面には、伝票処理をする担当者の担当者記入部８や、伝票処理をする担当者又は受け付けた担当者などの確認印などを押印する押印部１０が設けられている。１枚の台紙に貼付した伝票の枚数（処理件数）を記入する処理件数記入部９も設けた。
【００２０】  次に、本発明の図３で示される伝票集計貼付台紙１１の使用状態を図４に示される伝票集計貼付台紙１１の使用状態で説明する。図に示されるように、取引で発行された伝票類２１は、舌片状切り込み１５を剥がして持ち上げ、挟んで裏面に塗布されている不乾燥性粘着剤１３によって綴じるようにしておく。図４中の舌片状切り込み１５に下から▲１▼〜▲１０▼のように番号が付されているのは、下から綴じ込んで行くほうが便利なのと、枚数確認を容易にしている。
【００２１】  また図４に示すように伝票類２１を綴じ出した伝票集計貼付台紙１１は、紛失を避けるために、ファイルなどに閉じられるように、綴じ穴１６が形成され、伝票類２１は、台紙タイプの伝票集計貼付台紙１１に確実に管理される。
【００２２】  本発明の伝票集計貼付台紙１の実施例として、図１に示される伝票集計貼付台紙１のほか、図３に示される伝票集計貼付台紙１１は、個人だけでなく企業向けにも活用できるように、日付等記入部６に記載したり、伝票類２１に取引合計を金額記入部７に記載したり、担当者記入部８への記入が簡単にできるようにした。押印欄１０には、提出者、又は経理担当者などや処理件数記入部９を設けて、確認として利用することで経理処理も効率よく簡単にできるようになる。尚、押印欄１０は、実施例では、１つの欄しか設けてないが、設計上数箇所設けても良い。
【００２３】  その他の機能として、伝票集計貼付台紙１、１１は、図５に示されるように、縦形にしても良く、粘着台紙２２の側部に伝票処理をした時の集計金の金種記載欄２７を設け、現金の集計も容易にしたものである。その際は、この金種記載欄２７のところに、担当者記入部２８、押印欄４０を設けるとよい。
【００２４】  本発明の伝票集計貼付台紙１、１１、２１の実施例として、材質について他の実施例として、通常のシール紙の他、少なくとも粘着台紙２を透明、半透明の材質のものを選択することで、あらゆる形状、サイズの伝票類２１であっても、伝票類の表示を隠蔽することなく提供できる。
【００２５】  以上の如く本発明の伝票集計貼付台紙によれば、どんな不精な個人や会社員でもとりあえず、伝票集計貼付台紙１で伝票類を綴じておくことで、伝票類に散逸がなくなり、その都度糊や粘着テープで、台紙に貼り付けることなく、簡単に綴じることができ、簡単に台紙に貼付できるので、極めて利便性の高い伝票処理が行える。
【００２６】  また、伝票集計貼付台紙１の各部のサイズなどを変更するだけで各種処理をする専用の伝票集計貼付台紙１を形成することもでき、企業毎に発行する伝票の形状に合わせて各企業からも提供されやすく産業上きわめて有益なものを提供できる。
【符号の説明】
【００２７】１、１１、２１・・・伝票集計貼付台紙
２、１２、２２・・・粘着台紙
３、１３・・・不乾燥性粘着剤
４、１４・・・剥離紙
５、１５、２５・・・舌片状切り込み
６、２６、２６ａ・・・日付等記入部
７・・・金額記入部
８、２８・・・担当者記入部
９・・・処理件数記入部
１０、４０・・・押印欄
１６、４６・・・綴じ穴
１７、４７・・・伝票処理番号
１８、４８・・・処理番号記入部
１９・・・補助記入部
２７・・・金種記入部
【図１】
2017094697.tif 000003
【図２】
2017094697.tif 000004
【図３】
2017094697.tif 000005
【図４】
2017094697.tif 000006
【図５】
2017094697.tif 000007